(57)【要約】【課題】安価な製造コストであり入出力レベルを示すための構成の設置のために広いスペースを必要とせずに、アナログ信号の入出力レベルを示す。【解決手段】アナログ信号の入出力レベルを検知する電圧検知部（１３０）と、アナログ信号の入出力レベルに応じてＬＥＤ（１５）の発光のパターンを制御するＬＥＤ点灯制御部（１３２）とを備えるアナログ信号入力装置（１）。【選択図】図１
2019115017.tif 000002
【特許請求の範囲】
【請求項１】
発光素子を備えており、アナログ信号の入力および出力の少なくとも一方を行うアナログ信号入出力装置であって、
前記アナログ信号の入力レベルおよび出力レベルの少なくとも一方を検知する入出力レベル検知部と、
前記アナログ信号の入力レベルあるいは出力レベルに応じて前記発光素子の発光のオンおよびオフのパターンを制御する発光制御部とを備えている
ことを特徴とするアナログ信号入出力装置。
【請求項２】
検知された前記アナログ信号の入出力レベルを、複数の異なるアナログ信号の入出力レベルのレンジのうち設定されている１つのレンジに対する相対値に変換する相対値変換部を備えており、
前記発光制御部は、前記相対値に応じて、前記発光素子の発光のオンおよびオフのパターンを制御する
ことを特徴とする請求項１に記載のアナログ信号入出力装置。
【請求項３】
ユーザによる選択操作を受け付けることによって、入出力レベルの前記レンジを設定することを特徴とする請求項２に記載のアナログ信号入出力装置。
【請求項４】
前記発光素子は、前記アナログ信号とは別の信号の入出力時においても発光するように制御されることを特徴とする請求項１から３の何れか１項に記載のアナログ信号入出力装置。
【請求項５】
発光素子を備えており、アナログ信号の入力および出力の少なくとも一方を行うアナログ信号入出力装置の制御方法であって、
前記アナログ信号の入力レベルおよび出力レベルの少なくとも一方を検知する入出力レベル検知ステップと、
前記アナログ信号の入力レベルあるいは出力レベルに応じて前記発光素子の発光のオンおよびオフのパターンを制御する発光制御ステップとを含む
ことを特徴とするアナログ信号入出力装置の制御方法。
【発明の詳細な説明】
【技術分野】
【０００１】
本発明はアナログ信号の入力および出力の少なくとも一方を行うアナログ信号入出力装置に関する。
【背景技術】
【０００２】
アナログ信号を入力する、または、出力する装置として、例えば、特許文献１には、較正手順実行機能および較正手順表示機能付のプロセス入出力装置が開示されている。詳細には、当該プロセス入出力装置は、入出力回路の較正試験の工程に応じて、ＬＥＤの点灯を制御する。
【先行技術文献】
【特許文献】
【０００３】
【特許文献１】特開２０１４−１７８７８５号明細書（２０１４年９月２５日）
【発明の概要】
【発明が解決しようとする課題】
【０００４】
一方、アナログ信号入出力装置と外部機器とを接続した場合、適切に接続できたか否かの確認を行う必要が生じ得る。また、アナログ信号入出力装置の運用中に障害が発生した場合、原因を特定する必要が生じ得る。例えば、当該障害がアナログ信号入出力装置に起因しているか、あるいは、アナログ信号入出力装置の外側（配線不良、接続先の機器の故障）に起因しているか等を特定する必要が生じ得る。このような場合、アナログ信号入出力装置におけるアナログ信号の入出力レベルを確認することが重要となる。
【０００５】
しかしながら、上述のような従来技術は、アナログ信号の入出力レベルをユーザに示すといった観点に基づいた技術ではない。例えば、アナログ信号の入出力レベルを表示するためには、アナログ信号入出力装置に、７セグメントＬＥＤ、液晶表示器、アナログメータ等のアナログ信号の入出力レベルを表示する構成を設置する必要がある。アナログ信号入出力装置に該構成を設置すると、製造コストが高くなる。また、アナログ信号入出力装置に上述のような構成を設置するためには、該構成を設置するためのスペースを設ける必要が生じる。
【０００６】
本発明の一態様は、安価な製造コストであり、入出力レベルを示すための構成を設置するために広いスペースを必要としない、アナログ信号の入出力レベルを示すことができるアナログ信号入出力装置を実現することを目的とする。
【課題を解決するための手段】
【０００７】
前記の課題を解決するために、本発明の一態様に係るアナログ信号入出力装置は、発光素子を備えており、アナログ信号の入力および出力の少なくとも一方を行うアナログ信号入出力装置であって、前記アナログ信号の入力レベルおよび出力レベルの少なくとも一方を検知する入出力レベル検知部と、前記アナログ信号の入力レベルあるいは出力レベルに応じて前記発光素子の発光のオンおよびオフのパターンを制御する発光制御部とを備えている。
【０００８】
また、本発明の一態様に係るアナログ信号入出力装置の制御方法は、発光素子を備えており、アナログ信号の入力および出力の少なくとも一方を行うアナログ信号入出力装置の制御方法であって、前記アナログ信号の入力レベルおよび出力レベルの少なくとも一方を検知する入出力レベル検知ステップと、前記アナログ信号の入力レベルあるいは出力レベルに応じて前記発光素子の発光のオンおよびオフのパターンを制御する発光制御ステップとを含む。
【０００９】
前記の構成によれば、１つの発光素子の発光パターンによって、アナログ信号の入出力レベルを示すことができる。よって、例えば、アナログ信号の入出力レベルを７セグメントＬＥＤによって数字で表示する構成、液晶表示で示す構成、アナログメータ等で示す構成等に比べ、製造コストを抑えることができる。また、前記の構成によれば、アナログ信号の入出力レベルを示す構成を設けるために必要なスペースを抑えることができる。そのため、アナログ信号入出力装置の設計の自由度を向上させることができる。
【００１０】
本発明の一態様に係るアナログ信号入出力装置は、検知された前記アナログ信号の入出力レベルを、複数の異なるアナログ信号の入出力レベルのレンジのうち設定されている１つのレンジに対する相対値に変換する相対値変換部を備えており、前記発光制御部は、前記相対値に応じて、前記発光素子の発光のオンおよびオフのパターンを制御する。
【００１１】
前記の構成によれば、複数の異なるアナログ信号の入出力レベルのレンジのうち設定されている１つのレンジに対する入出力レベルの相対値に応じてアナログ信号の入出力レベルを示すことができる。すなわち、レンジの設定を変えることによって異なる複数の前記レンジに対応させた、アナログ信号の入出力レベルを示すことができる。
【００１２】
本発明の一態様に係るアナログ信号入出力装置は、ユーザによる選択操作を受け付けることによって、入出力レベルの前記レンジを設定する。
【００１３】
前記の構成によれば、ユーザが所望するレンジに対応させて、アナログ信号の入出力アナログ信号の入出力レベルを示すことができる。
【００１４】
本発明の一態様に係るアナログ信号入出力装置は、前記発光素子は、前記アナログ信号とは別の信号の入出力時においても発光するように制御される。
【００１５】
前記の構成によれば、用途ごとに複数の発光素子を設置する必要が無くなる。そのため、アナログ信号入出力装置の製造コストを抑えることができ、省スペースにも寄与することができる。
【発明の効果】
【００１６】
本発明の一態様によれば、１つの発光素子の発光パターンによって、アナログ信号の入出力レベルを示すことができる。
【図面の簡単な説明】
【００１７】
【図１】本発明の実施形態に係るアナログ信号入力装置の要部構成の一例を示すブロック図である。
【図２】本発明の実施形態に係るアナログ信号入出力装置の適用例の概要を示す図である。
【図３】本発明の実施形態に係るシステムの一例の概要を示す図である。
【図４】本発明の実施形態に係るアナログ入出力信号の電圧値とレンジに対する該電圧値の相対値との対応関係を示す図である。
【図５】本発明の実施形態に係るアナログ信号入力装置の処理の流れの一例を示すフローチャートである。
【発明を実施するための形態】
【００１８】
〔実施形態１〕
以下、本発明の一側面に係る実施の形態（以下、「本実施形態」とも表記する）を、図面に基づいて説明する。
【００１９】
§１  適用例
図２は、本実施形態に係る、アナログ信号入出力装置の適用例の一例を示す図である。はじめに、図２を用いてアナログ信号入出力装置の適用例の概要を説明する。
【００２０】
図２に示すように、アナログ信号入力装置１は、センサ等のアナログ信号出力機器から入出力端子１１を介してアナログ信号が入力される装置である。例えば、アナログ信号入力装置１は、アナログ信号をデジタル信号に変換するＡ／Ｄ変換装置であってもよい。この場合、アナログ信号入力装置１はデジタル信号をコントローラ通信端子１７を介してコントローラ３に出力する。アナログ信号入力装置１は入力されるアナログ信号の入力レベルを検知する。アナログ信号入力装置１は検知したアナログ信号の入力レベルに応じて自装置に備わっているＬＥＤ（発光素子）１５の発光のオンおよびオフのパターンを制御する。そのため、アナログ信号入力装置１はアナログ信号の入力レベルに応じたパターンによってＬＥＤ１５を点灯させることができる。
【００２１】
なお、本実施形態では、入力されるアナログ信号の入力レベルを示すアナログ信号入力装置１について具体的な例を示す。一方で、図２に示すように、アナログ信号入力装置１の代わりにアナログ信号出力装置に本実施形態を適用してもよい。この場合、アナログ信号出力装置は、例えば、コントローラ３から出力されたデジタル信号をアナログ信号に変換する。アナログ信号出力装置は、アナログ信号によって駆動する機器（例えば、温調制御が必要なヒータ等）にアナログ信号を出力する。アナログ信号入力装置１の構成を適宜変更することにより、当該アナログ信号出力装置は、ＬＥＤの発光パターンによってアナログ信号の出力レベルを示す。
【００２２】
また、本実施形態を、アナログ信号およびデジタル信号を入力する装置、アナログ信号およびデジタル信号を出力する装置、アナログ信号およびデジタル信号を入出力する装置等に適用してもよい。前記装置は、アナログ信号の入力レベルおよび出力レベルの少なくとも１つを示す。
【００２３】
前記の構成によれば、１つのＬＥＤの発光パターンによって、アナログ信号の入出力レベルを示すことができる。よって、アナログ信号の入出力レベルを７セグメントＬＥＤによって数字で表示する構成、液晶表示で示す構成、アナログメータ等で示す構成等に比べ、アナログ信号入出力装置の製造コストを抑えることができる。また、前記の構成によれば、アナログ信号の入出力レベルを示す構成を設けるために必要なスペースを抑えることができる。そのため、アナログ信号入出力装置の設計の自由度を向上させることができる。
【００２４】
§２  構成例
（システム９）
図３は、本実施形態に係るシステム９の一例の概要を示す図である。図３に示すように、システム９は、アナログ信号入力装置、アナログ信号出力機器２、コントローラ３、サポートツール４、表示入力装置５および通信カプラ６を含む。
【００２５】
（アナログ信号入力装置１）
図３に示すように、アナログ信号入力装置１は、コントローラ３等を含む上位ネットワークとアナログ信号出力機器２との間でデータを中継する中継装置である。本実施形態においては、アナログ信号入力装置１がＡ/Ｄ変換装置である場合の例を示す。
【００２６】
（通信カプラ６）
通信カプラ６は、上位ネットワークとアナログ信号入力装置１との間の通信を中継する中継装置である。通信カプラ６は、上位ネットワークに含まれる機器とアナログ信号入力装置１との間で通信を中継する。
【００２７】
（アナログ信号出力機器２）
図３に示すように、アナログ信号出力機器２は、アナログ信号入力装置１と接続されて、コントローラ３の制御対象となる装置である。アナログ信号出力機器２としては、例えば光電センサや近接センサ等の各種センサが挙げられる。
【００２８】
（コントローラ３）
コントローラ３は、システム９の全体を統括して制御する制御装置であり、ＰＬＣ（Programmable Logic Controller）とも呼ばれる。コントローラ３は、システム９においてアナログ信号入力装置１のマスタ装置として動作する。
【００２９】
（サポートツール４）
サポートツール４は、アナログ信号入力装置１の動作設定等のシステム９における各種設定のために、システム９に接続して使用される装置である。サポートツール４は、コントローラ３経由でシステム９に接続することができる。サポートツール４としては、パソコンのような情報処理装置を用いることができ、ノート型パソコンのような携帯型の情報処理装置を用いることもできる。なお、サポートツール４は、通信カプラ６を介してアナログ信号入力装置１に接続し、各種設定を行うようになっていてもよい。
【００３０】
（表示入力装置５）
表示入力装置５は、例えば、タッチパネル式の表示入力装置であり、システム９のユーザは、表示入力装置５を介してコントローラ３を操作したり、表示入力装置５にてシステム９の動作状態を確認したりすることができる。
【００３１】
また、図３に示すシステム９において、コントローラ３がアナログ信号を入出力する構成である場合、アナログ信号入力装置１が備えるアナログ信号の入力レベル（あるいは出力レベル）を示す構成をコントローラ３が備えていてもよい。
【００３２】
（アナログ信号入力装置１の構成）
図１は本実施形態に係るアナログ信号入力装置１の要部構成の一例を示すブロック図である。上述のように、本実施形態においては、アナログ信号入力装置１が、入力されたアナログ信号をデジタル信号に変換するＡ／Ｄ変換装置である場合の例を示す。
【００３３】
図１および図２に示すように、アナログ信号入力装置１は入力端子１１ａ、出力端子１１ｂ、コントローラ通信端子１７、制御部１３、記憶部１４、ＬＥＤ１５およびＡ／Ｄ変換部１６を備えている。
【００３４】
（入力端子１１ａ、出力端子１１ｂ、コントローラ通信端子１７）
入力端子１１ａは外部機器からの信号の入力を受け付ける。本実施形態においては、特に、入力端子１１ａはアナログ信号出力機器２からアナログ信号の入力を受け付ける。出力端子１１ｂは外部機器に出力データを出力する。また、コントローラ通信端子１７はデジタル信号を通信カプラ６を介しコントローラ３に出力する。また、入力端子１１ａ、出力端子１１ｂおよびコントローラ通信端子１７の数は複数であってもよいし、単数であってもよい。
【００３５】
（Ａ／Ｄ変換部１６）
Ａ（アナログ信号）／Ｄ（デジタル信号）変換部１６は、入力端子１１ａを介し、アナログ信号出力機器２からアナログ信号を受信する。Ａ／Ｄ変換部１６は受信したアナログ信号をデジタル信号に変換する。Ａ／Ｄ変換部１６は、該デジタル信号を制御部１３に送信する。本実施形態においては、特に、該デジタル信号を電圧検知部１３０に送信する。
【００３６】
また、制御部１３は該デジタル信号のノイズを除去するためのフィルタ処理等を実行してもよい。例えば、制御部１３は、フィルタ処理を施したデジタル信号をコントローラ通信端子１７および通信カプラ６を介して、コントローラ３に送信する。
【００３７】
（制御部１３）
制御部１３は、ＣＰＵ（Central Processing Unit）、ＲＡＭ（Random Access Memory）、ＲＯＭ（Read Only Memory）等を含み、情報処理に応じて各構成要素の制御を行う。制御部１３は、電圧検知部１３０、相対値変換部１３１およびＬＥＤ点灯制御部（発光制御部）１３２を備えている。
【００３８】
（電圧検知部１３０）
電圧検知部１３０は、入力端子１１ａを介して入力されたアナログ信号の入力レベルを検知する。詳細には、電圧検知部１３０はＡ／Ｄ変換部１６から受信したデジタル信号に基づいてアナログ信号の電圧値を検知する。電圧検知部１３０は、検知した電圧値を相対値変換部１３１に送信する。
【００３９】
（相対値変換部１３１）
相対値変換部１３１は、電圧検知部１３０から受信したアナログ信号の入出力レベルを、複数の異なるアナログ信号の入出力レベルのレンジのうち設定されている１つのレンジに対する相対値に変換する。詳細を以下に説明する。
【００４０】
図４は、アナログ入力（入出力）信号の電圧値とレンジに対する該電圧値の相対値との対応関係を示す図である。図４に示すように、本実施形態では、アナログ信号の入力（入出力）レベルのレンジは、レンジＡ「０Ｖ〜＋１０Ｖレンジ」、レンジＢ「０Ｖ〜＋５Ｖレンジ」およびレンジＣ「−１０Ｖ〜＋１０Ｖレンジ」から選択され設定される。
【００４１】
アナログ信号入力装置１は、サポートツール４におけるユーザによる選択操作を受け付けることによって入力レベルのレンジを設定してもよい。また、アナログ信号入力装置１は、サポートツール４における該レンジの最大値および最小値の入力操作を受け付けて、任意の入力レベルのレンジを設定してもよい。例えば、設定された該レンジは、レンジ情報１４１として、記憶部１４に格納されてもよい。
【００４２】
前記の構成によれば、ユーザが所望するレンジのアナログ信号の入出力アナログ信号の入出力レベルを示すことができる。
【００４３】
相対値変換部１３１は、レンジ情報１４１を参照し、設定されているレンジに対するアナログ信号の電圧値の相対値を算出する。例えば、図４に示すように、レンジＡ「０Ｖ〜＋１０Ｖレンジ」が設定されている場合、相対値変換部１３１は相対値を以下のように算出する。相対値変換部１３１はレンジの最小値である０Ｖを０％とし、レンジの最大値である＋１０Ｖを１００％として、入力されたアナログ信号の相対値を百分率として算出する。また、レンジＢ「０Ｖ〜＋５Ｖレンジ」が設定されている場合、相対値変換部１３１は相対値を以下のように算出する。相対値変換部１３１はレンジの最小値である０Ｖを０％とし、レンジの最大値である＋５Ｖを１００％として、入力されたアナログ信号の相対値を百分率として算出する。また、レンジＣ「−１０Ｖ〜＋１０Ｖレンジ」が設定されている場合、相対値変換部１３１は相対値を以下のように算出する。相対値変換部１３１はレンジの最小値である−１０Ｖを０％とし、レンジの最大値である＋１０Ｖを１００％として、入力されたアナログ信号の相対値を百分率として算出する。相対値変換部１３１は、算出したアナログ信号の相対値をＬＥＤ点灯制御部１３２に送信する。
【００４４】
（ＬＥＤ点灯制御部１３２）
ＬＥＤ点灯制御部１３２は、アナログ信号の入力レベルに応じて前記発光素子の発光のオンおよびオフのパターンを制御する。
【００４５】
詳細には、ＬＥＤ点灯制御部１３２は、相対値変換部１３１から受信した相対値に応じて、ＬＥＤ１５の発光のオンおよびオフのパターンを制御する。例えば、ＬＥＤ点灯制御部１３２は、記憶部１４に格納されているＬＥＤ１５の点灯パターンを示す点灯パターン情報１４２を参照し、ＬＥＤ１５の発光を制御してもよい。点灯パターン情報１４２は、ＬＥＤ１５の点灯パターンと相対値とを対応付けている情報である。ＬＥＤ点灯制御部１３２が行うＬＥＤ１５の発光のオンおよびオフの制御の一例について以下に説明する。
【００４６】
（ＬＥＤ１５の点灯制御の例１：所定の時間における、点灯時間と消灯時間とを制御）
ＬＥＤ点灯制御部１３２は、所定の時間における、ＬＥＤ１５の点灯（オン）時間と消灯（オフ）時間とを相対値（百分率）に応じて決定し、ＬＥＤ１５の点灯または点滅を制御してもよい。例えば、ＬＥＤ点灯制御部１３２は１秒間におけるＬＥＤ１５の点灯と消灯とを以下のように制御する。相対値が０％の場合、消灯時間が１秒とし、ＬＥＤ１５を点灯させない。相対値が１０％の場合、点灯時間を０．１秒とし、消灯時間を０．９秒として、ＬＥＤ１５を点滅させる。相対値が９０％の場合、点灯時間が０．９秒とし、消灯時間が０．１秒として、ＬＥＤ１５を点滅させる。相対値が１００％の場合、点灯時間を１秒とし、ＬＥＤ１５を常に点灯させる。すなわち、相対値が高いほど、ＬＥＤ点灯制御部１３２は所定の時間におけるＬＥＤ１５の点灯時間が長くなるように制御する。
【００４７】
（ＬＥＤ１５の点灯制御の例２：点滅周期を制御）
次に、ＬＥＤ１５の点灯制御の他の例について説明する。ＬＥＤ点灯制御部１３２は、相対値に応じて、ＬＥＤ１５の点滅周期を決定し、ＬＥＤ１５の点灯または点滅を制御してもよい。
【００４８】
例えば、相対値が０％の場合、ＬＥＤ点灯制御部１３２はＬＥＤ１５を点灯させない。相対値が２０％の場合、ＬＥＤ点灯制御部１３２はＬＥＤ１５を１秒間点灯させ、１秒間消灯させることによって点滅させる。相対値が４０％の場合、ＬＥＤ点灯制御部１３２はＬＥＤ１５を０．８秒間点灯させ、０．８秒間消灯させることによって点滅させる。相対値が６０％の場合、ＬＥＤ点灯制御部１３２はＬＥＤ１５を０．６秒間点灯させ、０．６秒間消灯させることによって点滅させる。相対値が８０％の場合、ＬＥＤ点灯制御部１３２はＬＥＤ１５を０．４秒間点灯させ、０．４秒間消灯させることによって点滅させる。相対値が１００％の場合、ＬＥＤ点灯制御部１３２はＬＥＤ１５を０．２秒間点灯させ、０．２秒間消灯させることによって点滅させる。すなわち、相対値が高いほど、ＬＥＤ点灯制御部１３２はＬＥＤ１５の点滅の周期が短くなるように制御する。
【００４９】
前記の構成によれば、複数の異なるアナログ信号の入出力レベルのレンジのうち設定されている１つのレンジに対する入出力レベルの相対値に応じて入出力レベルを示すことができる。すなわち、レンジの設定を変えることによって、異なる複数の前記レンジに対応させた、アナログ信号の入出力レベルを示すことができる。
【００５０】
例えば、入力されたアナログ信号のレベルが設定されているレンジ内のレベルではない場合、相対値変換部１３１は相対値を算出しない構成としてもよい。前記構成によれば、入力されるアナログ信号と設定されているレンジとが対応していない場合、ＬＥＤ１５の発光制御は行われない。そのため、ユーザは入力されるアナログ信号と設定されているレンジとが対応していないことを認識することができる。
【００５１】
また、アナログ信号入力装置１は、複数のアナログ入力信号を同時に入力する構成としてもよい。例えば、アナログ信号入力装置１は、複数の入力端子１１ａと複数のＬＥＤ１５とを備えていてもよい。この場合、各入力端子１１ａと各ＬＥＤ１５とが対応付いていてもよい。ＬＥＤ点灯制御部１３２は各入力端子１１ａから入力されたアナログ入力信号のレベルを示すために当該入力端子１１ａに対応するＬＥＤ１５の点灯を制御してもよい。この構成においては、各入力端子１１ａと対応しているＬＥＤ１５を示す情報が記憶部１４に格納されていてもよい。ＬＥＤ点灯制御部１３２は該情報を参照し、各ＬＥＤ１５の点灯を制御してもよい。
【００５２】
（記憶部１４）
記憶部１４は、例えば、フラッシュメモリ、ソリッドステートドライブ等の補助記憶装置であり、上述のレンジ情報１４１、上述の点灯パターン情報１４２等を記憶する。
【００５３】
（ＬＥＤ１５）
ＬＥＤ１５は、ＬＥＤ点灯制御部１３２の制御に従い発光する。
【００５４】
ＬＥＤ１５は、アナログ信号とは別の信号の入出力時においても発光するように制御されてもよい。すなわち、ＬＥＤ１５はアナログ信号の入出力レベルを示す用途とは別の用途と共用されていてもよい。例えば、１つのＬＥＤ１５が、アナログ信号の入出力レベルを示す以外にも、他の信号（例えば、外部トリガの信号）の入力を発光によって示してもよい。ＬＥＤ１５が入力を示す対象の信号は、ユーザによるサポートツール４の選択操作を受け付けることによって、切り換えられてもよい。
【００５５】
前記の構成によれば、用途ごとに複数の発光素子を設置する必要が無くなる。そのため、製造コストを抑えることができ、省スペースにも寄与することができる。
【００５６】
（アナログ信号入力装置１の処理の流れ）
図５は本実施形態に係るアナログ信号入力装置１の処理の流れの一例を示すフローチャートである。図５を用いて、アナログ信号入力装置１の処理の流れの一例について説明する。電圧検知部１３０はアナログ入力信号の電圧値を検知する（Ｓ１：入出力レベル検知ステップ）。続いて、相対値変換部１３１はアナログ入力信号の電圧値を相対値に変換する（Ｓ２）。続いて、ＬＥＤ点灯制御部１３２は、相対値に応じたパターンによって、ＬＥＤ１５を点灯させる（Ｓ３：発光制御ステップ）。アナログ信号の入力が終了した場合（Ｓ４でＹＥＳ）、処理は終了する。また、アナログ信号の入力が終了していない場合（Ｓ４でＮＯ）、処理はＳ１に戻る。
【００５７】
〔ソフトウェアによる実現例〕
アナログ信号入力装置１の制御ブロック（特に相対値変換部１３１およびＬＥＤ点灯制御部１３２）は、集積回路（ＩＣチップ）等に形成された論理回路（ハードウェア）によって実現してもよいし、ソフトウェアによって実現してもよい。
【００５８】
後者の場合、アナログ信号入力装置１は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００５９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６０】
１      アナログ信号入力装置（アナログ信号入出力装置）
４      サポートツール（設定ツール）
１２    電圧検知部（入出力レベル検知部）
１５    ＬＥＤ（発光素子）
１３１  相対値変換部
１３２  ＬＥＤ点灯制御部（発光制御部）
Ｓ１  入出力レベル検知ステップ
Ｓ３  発光制御ステップ
【図１】
2019115017.tif 000003
【図２】
2019115017.tif 000004
【図３】
2019115017.tif 000005
【図４】
2019115017.tif 000006
【図５】
2019115017.tif 000007